(57)【要約】      （修正有）【課題】実媒体に手入力された情報を管理する情報管理装置を提供する。【解決手段】情報管理装置１０は、実媒体の画像である実媒体画像を取得する画像取得部１１と、画像取得部１１が取得した実媒体画像の変化を検出し、実媒体画像において変化が生じた部分の画像であるＯＢＪ画像を抽出する変更検出部１２と、変更検出部１２により抽出されたＯＢＪ画像と、当該ＯＢＪ画像の実媒体画像における位置と、当該ＯＢＪ画像を含む実媒体画像が画像取得部１１により取得された時刻と、を記録する記録部１４と、記録部１３が記録したＯＢＪ画像を、実媒体に対応付けて出力可能に構成された出力部１７と、を備える。【選択図】図２
2020126320.tif 000002
【特許請求の範囲】
【請求項１】
実媒体の画像である実媒体画像を取得する取得部と、
前記取得部が取得した前記実媒体画像の変化を検出し、前記実媒体画像において変化が生じた部分の画像であるＯＢＪ画像を抽出する検出部と、
前記検出部により抽出された前記ＯＢＪ画像と、当該ＯＢＪ画像の前記実媒体画像における位置と、当該ＯＢＪ画像を含む前記実媒体画像が前記取得部により取得された時刻と、を記録する記録部と、
前記記録部が記録した前記ＯＢＪ画像を、前記実媒体に対応付けて出力可能に構成された出力部と、を備える情報管理装置。
【請求項２】
前記記録部は、前記ＯＢＪ画像に含まれる属性情報も併せて記録するように構成された
請求項１に記載の情報管理装置。
【請求項３】
前記出力部は、前記実媒体に対応付けた前記ＯＢＪ画像と、当該ＯＢＪ画像の前記属性情報とを表示可能に構成された、
請求項２に記載の情報管理装置。
【請求項４】
前記出力部は、ユーザにより指定された時刻または時間帯に前記実媒体画像に存在した前記ＯＢＪ画像を前記実媒体に対応付けて出力可能に構成された、
請求項１から請求項３の何れか１項に記載の情報管理装置。
【請求項５】
前記出力部は、ユーザにより指定された属性情報に関連する前記ＯＢＪ画像を前記実媒体に対応付けて出力するように構成された、
請求項１から請求項４の何れか１項に記載の情報管理装置。
【請求項６】
追加情報の入力を受け付ける受付部をさらに備え、
前記出力部は、前記受付部が受け付ける前記追加情報から生成される生成ＯＢＪ画像と、前記追加情報に関連する時刻と、前記受付部が入力を受け付ける前記追加情報に関連する前記実媒体画像に対応する位置と、に基づいて前記生成ＯＢＪ画像を前記実媒体に対応付けて出力する、
請求項１から請求項５の何れか１項に記載の情報管理装置。
【請求項７】
前記記録部が記録する前記ＯＢＪ画像は、前記実媒体に記入及び削除される文字または図形と、前記実媒体に貼着及び削除される情報表示媒体を含む
請求項１から請求項６の何れか１項に記載の情報管理装置。
【請求項８】
実媒体と、
前記実媒体を撮影するカメラと、
請求項１から請求項７の何れか１項に記載の情報管理装置と、
を備え、
前記取得部は、前記カメラによって撮影された前記実媒体画像を取得するように構成され、
前記出力部は、前記記録部が記録した前記ＯＢＪ画像を、前記実媒体に対応付けて表示装置に出力可能に構成された、
情報管理システム。
【請求項９】
前記表示装置は複数設けられ、
前記出力部は、各々の前記表示装置に出力可能に構成された、
請求項８に記載の情報管理システム。
【請求項１０】
実媒体における貼着目標位置に合わせる部分を指定する印が付され、情報の属性を示す印を記入する記入欄が設けられた、
付箋。
【請求項１１】
実媒体の画像である実媒体画像を取得するステップと、
取得された前記実媒体画像の変化を検出し、前記実媒体画像において変化が生じた部分の画像であるＯＢＪ画像を抽出するステップと、
抽出された前記ＯＢＪ画像と、当該ＯＢＪ画像の前記実媒体画像における位置と、当該ＯＢＪ画像を含む前記実媒体画像が前記取得するステップにより取得された時刻と、を記録するステップと、
記録された前記ＯＢＪ画像を、前記実媒体に対応付けて出力するステップと、
を有する情報管理方法。
【請求項１２】
コンピュータを、
実媒体の画像である実媒体画像を取得する手段、
取得された前記実媒体画像の変化を検出し、前記実媒体画像において変化が生じた部分の画像であるＯＢＪ画像を抽出する手段、
抽出された前記ＯＢＪ画像と、当該ＯＢＪ画像の前記実媒体画像における位置と、当該ＯＢＪ画像を含む前記実媒体画像が前記取得する手段により取得された時刻と、を記録する手段、
記録された前記ＯＢＪ画像を、前記実媒体に対応付けて出力する手段、
として機能させるためのプログラム。
【発明の詳細な説明】
【技術分野】
【０００１】
本発明は、情報管理装置、情報管理システム、付箋、情報管理方法及びプログラムに関する。
【背景技術】
【０００２】
特許文献１には、ホワイトボードの文字や付箋をカメラで撮影して、文字や付箋の位置に応じて適切な表罫線の画像を生成し、その画像を、プロジェクタを使用してホワイトボードへと投影する技術が開示されている。
特許文献２には、災害対策本部の机上または壁などに設けられたボード上に被災者に必要な支援情報を記入した付箋やカード状の紙片を配置し、この様子をカメラで撮影して支援情報を分析する生活情報収集装置が開示されている。この生活情報収集装置は、カメラで撮影した画像を分析して被災者の要望を抽出し、統計処理を行ってその結果を出力する。特許文献２の技術によれば、被災地から寄せられた生活に関する要望をもれなく、効率良く把握し、被災地への支援を講じることができる。
【先行技術文献】
【特許文献】
【０００３】
【特許文献１】特許第５０６１６９６号公報
【特許文献２】特開２００６−２２１５５５号公報
【発明の概要】
【発明が解決しようとする課題】
【０００４】
ところで、災害が発生すると災害対策本部等では、対応に追われ情報に混乱が生じがちになる。そのような状況で、被災地からの要望や被災地の状況を記録するには紙への入力が適している。例えば、付箋などに被災地の情報を記入し、被災地の地図上の関連する位置に張り付けて記録したり、地図上に直接書き込んだりする方法が適している。コンピュータに情報を入力すると、専任の入力担当者が必要になり、入力作業がボトルネックになりやすい。その結果、入力が省略され記録漏れが生じやすい。しかし、手入力により情報を記録する方法は、張り付けた付箋や入力された文字情報の管理を適切に行わなければ、情報に混乱や欠落が生じる可能性がある。例えば、記入された情報のうち、どの情報が最新で、どの情報が古いものかが分からなくなる。また、付箋が剥がれ落ちたり、誤ってはがしたりすると、付箋に記入された情報が欠落してしまう。
【０００５】
そこでこの発明は、上述の課題を解決することのできる情報管理装置、情報管理システム、付箋、情報管理方法及びプログラムを提供することを目的としている。
【課題を解決するための手段】
【０００６】
本発明の一態様によれば、情報管理装置は、実媒体の画像である実媒体画像を取得する取得部と、前記取得部が取得した前記実媒体画像の変化を検出し、前記実媒体画像において変化が生じた部分の画像であるＯＢＪ画像を抽出する検出部と、前記検出部により抽出された前記ＯＢＪ画像と、当該ＯＢＪ画像の前記実媒体画像における位置と、当該ＯＢＪ画像を含む前記実媒体画像が前記取得部により取得された時刻と、を記録する記録部と、前記記録部が記録した前記ＯＢＪ画像を、前記実媒体に対応付けて出力可能に構成された出力部と、を備える。
【０００７】
本発明の一態様によれば、前記記録部は、前記ＯＢＪ画像に含まれる属性情報も併せて記録するように構成されていてもよい。
【０００８】
本発明の一態様によれば、前記出力部は、前記実媒体に対応付けた前記ＯＢＪ画像と、当該ＯＢＪ画像の前記属性情報とを表示可能に構成されていてもよい。
【０００９】
本発明の一態様によれば、前記出力部は、ユーザにより指定された時刻または時間帯に前記実媒体画像に存在した前記ＯＢＪ画像を前記実媒体に対応付けて出力可能に構成されていてもよい。
【００１０】
本発明の一態様によれば、前記出力部は、ユーザにより指定された属性情報に関連する前記ＯＢＪ画像を前記実媒体に対応付けて出力するように構成されていてもよい。
【００１１】
本発明の一態様によれば、前記報管理装置は、追加情報の入力を受け付ける受付部をさらに備え、前記出力部は、前記受付部が受け付ける前記追加情報から生成される生成ＯＢＪ画像と、前記追加情報に関連する時刻と、前記受付部が入力を受け付ける前記追加情報に関連する前記実媒体画像に対応する位置と、に基づいて前記生成ＯＢＪ画像を前記実媒体に対応付けて出力してもよい。
【００１２】
本発明の一態様によれば、前記記録部が記録する前記ＯＢＪ画像は、前記実媒体に記入及び削除される文字または図形と、前記実媒体に貼着及び削除される情報表示媒体を含んでいてもよい。
【００１３】
本発明の一態様によれば、情報管理システムは、実媒体と、前記実媒体を撮影するカメラと、上記の情報管理装置と、を備え、前記取得部は、前記カメラによって撮影された前記実媒体画像を取得するように構成され、前記出力部は、前記記録部が記録した前記ＯＢＪ画像を、前記実媒体に対応付けて表示装置に出力可能に構成されていてもよい。
【００１４】
本発明の一態様によれば、前記情報管理システムは、前記表示装置は複数設けられ、前記出力部は、各々の前記表示装置に出力可能に構成されていてもよい。
【００１５】
本発明の一態様によれば、実媒体における貼着目標位置に合わせる部分を指定する印が付され、情報の属性を示す印を記入する記入欄が設けられた付箋である。
【００１６】
本発明の一態様によれば、情報管理方法は、実媒体の画像である実媒体画像を取得するステップと、取得された前記実媒体画像の変化を検出し、前記実媒体画像において変化が生じた部分の画像であるＯＢＪ画像を抽出するステップと、抽出された前記ＯＢＪ画像と、当該ＯＢＪ画像の前記実媒体画像における位置と、当該ＯＢＪ画像を含む前記実媒体画像が前記取得するステップにより取得された時刻と、を記録するステップと、記録された前記ＯＢＪ画像を、前記実媒体に対応付けて出力するステップと、を有する。
【００１７】
本発明の一態様によれば、プログラムは、コンピュータを、実媒体の画像である実媒体画像を取得する手段、取得された前記実媒体画像の変化を検出し、前記実媒体画像において変化が生じた部分の画像であるＯＢＪ画像を抽出する手段、抽出された前記ＯＢＪ画像と、当該ＯＢＪ画像の前記実媒体画像における位置と、当該ＯＢＪ画像を含む前記実媒体画像が前記取得する手段により取得された時刻と、を記録する手段、記録された前記ＯＢＪ画像を、前記実媒体に対応付けて出力する手段、として機能させる。
【発明の効果】
【００１８】
本発明によれば、手入力された情報の履歴を電子情報として記録することで、幅広く情報を集め、それらを漏らすことなく蓄積し、蓄積された情報を再現することができる。また、蓄積された情報は、一定時間経過後であっても任意に再現できるので、時系列の情報の変化の整理を簡便に行うことができる。
【図面の簡単な説明】
【００１９】
【図１】本発明の各実施形態における情報管理システムの概略図である。
【図２】本発明の各実施形態における情報管理装置の機能ブロック図である。
【図３】本発明の各実施形態における付箋の一例を示す図である。
【図４】本発明の第一実施形態における情報の変化を検出する処理を説明する図である。
【図５】本発明の第一実施形態における実媒体上の情報の変化を説明する図である。
【図６】本発明の第一実施形態における表示画像を説明する第１の図である。
【図７】本発明の第一実施形態における表示画像を説明する第２の図である。
【図８】本発明の第一実施形態における情報管理方法の一例を示すフローチャートである。
【図９】本発明の第一実施形態における表示画像を説明する第３の図である。
【図１０】本発明の第一実施形態における表示画像を説明する第４の図である。
【図１１】本発明の第一実施形態における表示画像を説明する第５の図である。
【図１２】本発明の第一実施形態における表示画像を説明する第６の図である。
【図１３】本発明の第一実施形態における表示画像を説明する第７の図である。
【図１４】本発明の第二実施形態における情報管理方法を説明する第１の図である。
【図１５】本発明の第二実施形態における情報管理方法を説明する第２の図である。
【図１６】本発明の第三実施形態におけるリソース管理に用いる実媒体の一例を示す図である。
【図１７】本発明の各実施形態における情報管理装置のハードウェア構成の一例を示す図である。
【発明を実施するための形態】
【００２０】
＜実施形態＞
以下、本発明の各実施形態による情報管理方法を図１〜図１７を参照して説明する。
図１は、本発明の各実施形態における情報管理システムの概略図である。
図１に示す情報管理システム１は、複数の人によって同時に視認可能な所定の面積を有する実媒体４０上に、時間の経過とともに記入された情報を表示して情報を共有しつつ、記入された情報の変化を記録し、記入された情報を管理する。実媒体４０とは、紙などの手入力が可能な材質でできた地図や工程表、各種図表などである。また、実媒体４０とは、例えば、紙、ホワイトボード、黒板などである。記入された情報の変化とは、情報の追加、変更、消去である。一例として、情報管理システム１は、災害対策室などに設けられ、災害が起きた地域の被害状況、救助要請、物資要請などの情報を管理する。その場合、例えば、実媒体４０は、表面がラミネート加工された紙の地図である。災害対策室の担当者は、地図上に水性のペンで文字や印を記入したり、情報を記入した付箋を張り付けたりして、情報が付加された場所の現在の状況を共有する。災害が発生すると、一つの場所についても、消防、警察、自衛隊など複数の情報ルートから様々な情報が様々なタイミングで寄せられる。消防などの各組織の担当者は、ペン入力や付箋の貼着により、寄せられた情報を地図上に反映していく。
【００２１】
（システム構成）
図示するように情報管理システム１は、情報管理装置１０と、カメラ２０と、プロジェクタ３０と、実媒体４０と、を含んで構成される。カメラ２０とプロジェクタ３０は、情報管理装置１０に接続されている。実媒体４０は、例えば地図であり、ペンや付箋の貼着によって情報が記入される。カメラ２０は、所定の時間間隔で実媒体４０を撮影し、地図上に記入された情報を含む画像を撮影する。カメラ２０は、撮影した画像をその都度、情報管理装置１０へ出力する。情報管理装置１０は、カメラ２０から取得した画像の経時的な変化に基づいて、地図上に記入された情報の変化を検出する。情報管理装置１０は、情報が変化した時刻、その情報の記入位置に関する情報などを記録する。プロジェクタ３０は、情報管理装置１０からの指示により、指示された画像を実媒体４０または遠隔地に設けられ、同じ地図情報が表示された他の実媒体４０へ投影する。あるいは、プロジェクタ３０は、実媒体４０ではなく、壁やスクリーンなどに画像を投影するよう構成されていてもよい。
【００２２】
図２は、本発明の各実施形態における情報管理装置の機能ブロック図である。
情報管理装置１０は、サーバ端末やＰＣ（personal computer）等のコンピュータによって構成される。情報管理装置１０は、画像取得部１１と、変更検出部１２と、記録部１３と、記憶部１４と、入力受付部１５と、表示制御部１６と、出力部１７と、表示部１８とを備える。
画像取得部１１は、カメラ２０が所定の時間間隔で撮影した画像とその撮影時刻を取得する。
変更検出部１２は、カメラ２０から今回（時刻ｔ）取得した画像と、前回（時刻ｔ−１）取得した画像とを比較する。画像に変化があった場合、変更検出部１２は、変化した部分の画像や、その画像の属性情報を記録部１３へ出力する。属性情報とは、変化が生じた画像の位置情報、今回取得した画像の撮影時刻などである。
記録部１３は、変更検出部１２から取得した各種情報を記憶部１４へ記録する。
記憶部１４は、ＲＡＭ（Random Access Memory）、ＨＤＤ（Hard Disk Drive）などの記憶媒体である。記憶部１４は、記録部１３が記録した情報、実媒体４０と同様の地図データなどを記憶する。
入力受付部１５は、担当者が情報管理装置１０へ入力する情報を受け付ける。
表示制御部１６は、表示部１８へ表示する画像や、プロジェクタ３０を介して投影する画像を生成する。
出力部１７は、表示制御部１６が生成した画像を表示部１８とプロジェクタ３０の何れか、又は両方へ出力する。
表示部１８は、液晶ディスプレイや有機ＥＬ（Electroluminescence）ディスプレイなどの表示装置である。
記憶部１４および表示部１８は、情報管理装置１０と一体的に構成されていてもよいし、独立した装置として情報管理装置１０に接続されていてもよい。
【００２３】
（付箋の構成）
図３は、本発明の各実施形態における付箋の一例を示す図である。
付箋５０の三角は、黒く塗られる等の印が付されている。これは、付箋５０の上下方向を示している。付箋５０の左上角５０Ａに印があり、右下角５０Ｂに印が無い状態が、上下方向を正した状態である。また、付箋５０の左上角５０Ａは、実媒体４０に付箋５０を貼着するときに、目標とする位置に合わせる部分を指定する印である。
領域５１は、情報源を記入する入力欄である。例えば、領域５１は４つの領域に分割されていて、一番上の領域が消防、上から二番目が警察、上から三番目が自衛隊、一番下が海上保安庁を示している。付箋５０に消防から得た情報を記入するのであれば、図３のように一番上の領域に印をつける。
領域５２は、情報種類を記入する入力欄である。例えば、領域５２は３つの領域に分割されていて、一番左の領域が被害情報、中央が救助要請、一番右が物資要請を示している。付箋５０に物資要請に関する情報を記入するのであれば、図３のように一番右の領域に印をつける。
領域５３には、被害の規模、被災者の数、必要となる物資の名称や数量などを記入する。
領域５４は、進捗情報を記入する入力欄である。例えば、未着手の場合には何も記入せず、要請された物資の手配中など着手した場合には印を付す。また、作業が完了した場合は付箋をはがす。
災害対策室では、消防、警察などの各組織の担当者が、自分の組織に関する情報を図３に例示する付箋５０に記入して実媒体４０（地図）へ貼着したり、はがしたりしていく。担当者は、付箋５０に記入した情報に関連する場所（例えば、物資を必要とする場所）を、付箋５０の左上角５０Ａが指し示すように付箋５０を貼着する。
【００２４】
なお、領域５１、５２、５４等は必須ではない。最低限、上下方向を示す三角の印が付されていればよい。例えば、色の異なる付箋を用意し、赤色の付箋は消防、青色の付箋は海上保安庁など色によって情報源を示すようにしてもよい。また、上記の領域５１、５２を設けたうえで、さらに、赤色の付箋は火災、青色の付箋は水害、緑色の付箋は土砂災害など、色ごとにより詳細な災害に関する情報を対応付けてもよい。
【００２５】
実媒体４０には、付箋５０の貼着だけでなく、ペンによる手入力で情報を追加してもよい。例えば、情報源別に異なる色を割り当て、各組織の担当者は、組織に割り当てられた色の水性ペンを用いて地図への書き込み、消去などを行う。
【００２６】
後述するように、付箋５０に記入する印やペンの色は、情報管理装置１０が、カメラ２０が撮影した画像を分析して情報源の組織や情報に関連する場所などを特定する際に用いられる。所定フォーマットの付箋５０と、所定の色のペンを使用して実媒体４０への情報の記入を行うので、画像処理による付箋５０やペンによって入力された文字や図形の認識が容易である。ところで、付箋５０の大きさ、形状は同一であり、他の付箋５０との区別がつきにくい。そこで、付箋５０の右下などに識別番号（符号５５）を印字する等して、カメラ２０が撮影した画像からも各付箋５０を識別可能なようにしてもよい。以下の実施形態では、各付箋５０に識別番号が付されていることを前提に説明を行う。なお、識別番号を印字しなくても、画像処理により、各付箋５０に記入された文字情報などから各付箋５０を識別してもよい。
【００２７】
＜第一実施形態＞
次に情報管理装置１０が、カメラ２０が撮影した実媒体４０の画像から地図上に記入された情報の変化を検出する処理について説明する。
図４は、本発明の一実施形態における情報の変化を検出する処理を説明する図である。
図４に画像取得部１１が取得した画像を示す。画像（ａ）〜（ｅ）は、それぞれ時刻Ｔ〜Ｔ＋４に１秒ごとに撮影された画像である。
画像取得部１１が画像（ｂ）を取得すると、変更検出部１２は、今回取得した画像（ｂ）と前回取得した画像（ａ）を比較する。例えば、変更検出部１２は、画素ごとに画像（ａ）と画像（ｂ）の画素値を比較し、差が所定の閾値以上となる画素を選択する。変更検出部１２は、選択した画素群のみからなる画像ＯＢＪ−１を切り出す。また、変更検出部１２は、変化が生じた時刻Ｔ＋１と、変化の種類（「追加」）、地図上のＯＢＪ−１の位置情報、ペンか付箋かの区分と、ペンの色と、画像の特徴量を属性情報として、画像ＯＢＪ−１と対応付ける。なお、ＯＢＪ−１の位置情報は、例えば、ＯＢＪ−１の重心位置の画像における座標情報である。ペンか付箋かの区分は、切り出した画像が、例えば、所定の大きさの矩形であれば付箋と区分し、そうでなければペンとして区分する。記録部１３は、画像ＯＢＪ−１とその属性情報を記憶部１４に記録する。
【００２８】
次に画像取得部１１が画像（ｃ）を取得すると、変更検出部１２は、今回取得した画像（ｃ）と前回取得した画像（ｂ）を比較する。変更検出部１２は、画像処理により、変化が生じた画素群のみからなる画像ＯＢＪ−２を切り出す。変更検出部１２は、変化が生じた時刻Ｔ＋２と、変化の種類（「追加」）、ＯＢＪ−２の位置情報（付箋５０の三角のうち左上角５０Ａの座標情報）、区分「付箋」、付箋５０に領域５１が設けられていれば情報源、領域５２が設けられていれば情報種類、付箋５０に印字された識別番号、付箋５０の色で「水害」、「火災」などを区別する場合はそれらの災害の種類を示す情報を属性情報として、画像ＯＢＪ−２と対応付ける。なお、画像（ｃ）の場合、切り出した画像の形状が、付箋５０の大きさ及び形状である為、付箋として区分する。記録部１３は、画像ＯＢＪ−２とその属性情報を記憶部１４に記録する。なお、付箋５０の情報源、情報種類、識別番号などは、変更検出部１２が画像処理により読み取る。
【００２９】
次に画像取得部１１が画像（ｄ）を取得すると、変更検出部１２は、画像（ｄ）と画像（ｃ）を比較する。変更検出部１２は、画像処理により、変化が生じた画素群を抽出する。また、変更検出部１２は、変化が生じた画素群と変化前のＯＢＪ−１との位置情報を比較し、変化前のＯＢＪ−１の一部と位置情報が類似する（特に×印の付近）ことに基づいて、変化が生じた画素群と当該画素群に連続し、同じ色の画素値を持つ画素群（Ｒ４）とを一まとまりの画像として切り出す。変更検出部１２は、切り出した画像と、変化前の画像（ＯＢＪ−１）とを比較する。変更検出部１２は、２つの画像の類似度が所定の閾値以上であれば、変化前後の画像の位置と形状が類似することから変化前の情報が変形したと判定する。２つの画像の類似度が所定の閾値未満であれば、変更検出部１２は、情報の消去および追加であると判定する。
【００３０】
変形と判定した場合、変更検出部１２は、変形後の画素群全体の画像と、時刻Ｔ＋３と、変化の種類（「変形」）、位置情報、区分「ペン」、ペンの色、画像特徴量を属性情報として、変形後の画像ＯＢＪ−１´と対応付ける。記録部１３は、画像ＯＢＪ−１´とその属性情報を記憶部１４に記録する。
【００３１】
消去と追加と判定した場合、変更検出部１２は、消去された画像と、時刻Ｔ＋３と、変化の種類（「消去」）、消去された画像の重心位置の座標情報、区分「ペン」、ペンの色、画像特徴量を属性情報として、消去された画像と対応付ける。また、変更検出部１２は、追加された画像と、時刻Ｔ＋３と、変化の種類（「追加」）、追加された画像の重心位置の座標情報、区分「ペン」、ペンの色、画像特徴量を属性情報として、追加された画像と対応付ける。記録部１３は、消去および追加に関する各々の画像とその属性情報を記憶部１４に記録する。
【００３２】
次に画像取得部１１が画像（ｅ）を取得すると、変更検出部１２は、画像（ｅ）と画像（ｄ）を比較する。変更検出部１２は、画像処理により、変化（追加）が生じた画素群のみからなる画像ＯＢＪ−３を画像（ｅ）から切り出す。また、変化（消去）が生じた画素群のみからなる画像ＯＢＪ−２を画像（ｄ）から切り出す。
変更検出部１２は、時刻Ｔ＋４と、変化の種類（「追加」）、ＯＢＪ−３の位置情報、区分「ペン」、ペンの色、画像特徴量を属性情報として、画像ＯＢＪ−３と対応付ける。記録部１３は、画像ＯＢＪ−３とその属性情報を記憶部１４に記録する。
変更検出部１２は、時刻Ｔ＋４と、変化の種類（「消去」）、ＯＢＪ−２の位置情報、区分「付箋」、情報源、情報種類、識別番号などを属性情報として、画像ＯＢＪ−２と対応付ける。記録部１３は、消去された画像ＯＢＪ−２とその属性情報を記憶部１４に記録する。
なお、上記説明では、付箋５０の追加と消去を検出する例を説明したが、この他にも変更検出部１２は、付箋５０に記入された情報（文字や図形）の変化を検出してもよい。変更検出部１２は、付箋５０に記入された情報の変化を検出すると、その変化に関する属性情報を分析する。また、記録部１３が付箋５０内の情報の変化についての時刻、変化の種類（「追加」、「消去」、「変形」）、付箋５０の位置情報、その他属性情報を記憶部１４に記録する。
【００３３】
次に実媒体４０上に記入された情報と情報管理装置１０の表示部１８に表示される画像（以下、表示画像と記載する。）について、図５〜図７を用いて説明する。
図５は、本発明の一実施形態における実媒体上の情報の変化を説明する図である。
ある時刻Ｔａに地図（実媒体４０）上には、付箋５０−１〜５０−３が貼着され、ペンによる図形６０−１が記入されている。その後、時刻Ｔａ＋１の地図上には、付箋５０−１〜５０−２、付箋５０−４が貼着され、ペンによる図形６０−１が記入されている。つまり、この間、付箋５０−３がはがされ、新たに付箋５０−４が貼着されている。
【００３４】
図６は、本発明の一実施形態における表示画像を説明する第１の図である。
図６に情報管理装置１０が表示部１８に表示する表示画像１００の一例を示す。表示画像１００は、表示制御部１６が生成し、出力部１７が表示部１８に表示した画像である。表示画像１００は、模擬画像１０１、時間指定画像１０２、表示情報指定画像１０３、一覧画像１０４、ボタン１０５〜１０８を含む。模擬画像１０１は、実媒体４０を模擬した画像を表示する領域である。模擬画像１０１には、実媒体４０と同じ地図データが表示される。例えば、カメラ２０が図５の上図のような状態にある実媒体４０を撮影している場合、模擬画像１０１には、付箋５０−１〜５０−３に対応する付箋画像５０ｉ−１〜５０ｉ−３と、図形６０−１に対応する図形画像６０ｉ−１が、それぞれ実媒体４０上の付箋５０−１〜５０−３、図形６０−１に対応する位置に表示される。
【００３５】
時間指定画像１０２には、時刻を指定するタイムスライダーが表示される。ユーザが、タイムスライダーを用いて、過去の時刻Ｔｂを指定すると、模擬画像１０１には、時刻Ｔｂにおける実媒体４０上の情報が表示される。なお、ユーザが時刻を指定する手段は、タイムスライダーに限らない。例えば、直接、日付や時刻を入力する入力欄が設けられていてもよい。また、Ｘ１〜Ｘ２など時間の範囲を指定できてもよい。例えば、Ｘ１〜Ｘ２と指定した場合、Ｘ１〜Ｘ２の間に実媒体４０に表示されていた全ての付箋５０やペン入力された図形６０等に対応する付箋画像５０ｉ、図形画像６０ｉが模擬画像１０１に表示されてもよい。
【００３６】
表示情報指定画像１０３は、模擬画像１０１に表示する情報を選択する手段を表示する領域である。例えば、ユーザが、この手段を用いて情報源に消防を指定すると、模擬画像１０１には、情報源が消防の情報だけが表示される。例えば、情報源が消防のデータは、付箋５０の領域５１に付された印やペンの色によって識別することが可能である。表示情報指定画像１０３の情報選択手段については後述する。
【００３７】
一覧画像１０４は、模擬画像１０１に表示された付箋やペン入力された図形や文字の情報を一覧表示する。一覧画像１０４には、付箋５０−１や図形６０−１が追加又は消去された時刻、場所、種類、サムネイル画像が表示される。場所とは、ペン入力された図形６０の重心や付箋５０の左上角の座標（付箋画像５０ｉ−３の場合はＸ１、Ｙ１）に対応する地図上の住所情報である。種類には、図３で例示した被害情報、救援要請、物資要請の区別や、より詳細に、例えば、被害情報の場合、「水害」、「火災」、「土砂災」などが表示される。
【００３８】
ボタン１０５は、模擬画像１０１および一覧画像１０４に表示する情報を切り替えるためのボタンである。ボタン１０５の押下により、消去した情報の表示、非表示が切り替わる。例えば、タイムスライダーで設定した時刻を基準として所定時間前までの間に消去された情報を表示、非表示を制御することができる。
【００３９】
ボタン１０６は、誤ってペン入力した図形を消したり、誤って貼着した付箋５０をはがした後にその情報を記憶部１４から削除するためのボタンである。誤って記入した情報は不要となるため、例えば、担当者が付箋５０をはがした後に、一覧画像１０４にて、はがした付箋５０に関する行を選択し、ボタン１０６を押下する。すると、記録部１３が、記憶部１４から当該付箋５０に関する情報を削除する。これにより、不要な情報を削除することができる。
【００４０】
ボタン１０７は、実媒体４０上の情報が煩雑になるため、貼着した付箋５０を一旦はがすような場合に使用するボタンである。例えば、担当者が付箋５０を貼着した後に、一覧画像１０４にて、貼着した付箋５０に関する行を選択し、ボタン１０７を押下する。すると、記録部１３が、記憶部１４に記録された当該付箋５０に関する情報に対応付けて、例えば、新たな属性情報「登録済み」を登録する。その後、担当者が付箋５０をはがすと、上記説明したように、変更検出部１２が付箋５０の消去を検出し、記録部１３が当該付箋５０の消去を記録しようとするが、記録部１３は、属性情報「登録済み」を確認して、消去の記録を停止する。これにより、記憶部１４には、当該付箋５０に関する記録が、あたかも実媒体４０上に貼着された状態のままであるかのように記録されたままとなる。従って、模擬画像１０１および一覧画像１０４には、当該付箋５０に関する表示が残ったままとなり、実媒体４０から付箋５０をはがした後も、担当者による確認が可能となる。なお、属性情報「登録済み」を登録した付箋５０の、模擬画像１０１および一覧画像１０４における表示態様は、実媒体４０に貼着してある付箋５０のものと異なる表示態様としてもよい。
【００４１】
ボタン１０８は、付箋５０に示された状況が収束（あるいは悪化）し、その役目を終えてはがされるときに使用するボタンである。例えば、担当者が、必要のなくなった付箋５０をはがした後に、一覧画像１０４にて、当該付箋５０に関する行を選択し、ボタン１０８を押下する。すると、記録部１３が、記憶部１４に記録された当該付箋５０の「消去」に関する情報に対応付けて、例えば、新たな属性情報「完了」を登録する。
【００４２】
また、例えば、ユーザが、模擬画像１０１上で付箋画像５０ｉ−２，５０ｉ−３を選択すると、表示制御部１６は、付箋画像５０ｉ−２，５０ｉ−３の上下方向を正した状態で表示してもよい。また、表示制御部１６は、初期表示状態にて上下方向を正した状態で各付箋画像を表示してもよい（それぞれ、付箋画像５０ｉ−２´，５０ｉ−３´）。また、付箋画像５０ｉ−２等の表示方向（付箋画像の姿勢）の切り替えは、例えば、一覧画像１０４にて、対象とする付箋５０に関する行を選択し、図示しない所定のボタンを押下することによって実行されてもよい。あるいは、当該ボタンが押下されると、表示制御部１６は、全ての付箋画像を、上下方向を正した状態で表示してもよい。
【００４３】
図７は、本発明の一実施形態における表示画像を説明する第２の図である。
図７に、実媒体４０の表示が図５の下図の状態にある場合の模擬画像１０１と一覧画像１０４の画像を例示する。
模擬画像１０１には、付箋画像５０ｉ−１〜５０ｉ−２、５０ｉ−４と、図形画像６０ｉ−１が表示される。
一覧画像１０４には、付箋５０−１、５０−２、５０−４、図形６０−１の属性情報が表示される。
また、ボタン１０５の押下により、はがした付箋５０−３に対応する付箋画像５０ｉ−３の模擬画像１０１、一覧画像１０４への表示、非表示を制御することができる。例えば、初期状態では、付箋５０−３に関する情報は表示せず、担当者が、ボタン１０５を押下すると、入力受付部１５が、ボタン１０５の押下を受け付ける。すると、表示制御部１６が、記憶部１４から、付箋５０−３の識別番号に紐付く情報を読み出して、模擬画像１０１、一覧画像１０４への表示を行う。なお、付箋５０−３に関する付箋画像５０ｉ−３は、貼着されている付箋５０とは異なる態様（例えば、グレーアウト）で表示してもよい。
また、担当者が、一覧画像１０４で付箋画像のサムネイルを選択すると、入力受付部１５がその選択を受け付け、表示制御部１６が、模擬画像１０１にて選択されたサムネイル画像に対応する付箋画像５０ｉを拡大表示した画像を生成し、出力部１７がその拡大画像を表示部１８へ表示してもよい。これにより、担当者が、付箋５０に記入された文字を読み取れないときでも、その内容を確認することができる。
【００４４】
次に情報管理装置１０が実媒体４０上に記入された情報の変化を記録し、表示画像へ反映する処理の流れについて説明する。
図８は、本発明の一実施形態における情報理方法の一例を示すフローチャートである。
各組織の担当者がペンや付箋を用いて実媒体４０（地図）へ情報の記入を行う。カメラ２０は、所定の時間間隔で地図への情報の記入の様子を撮影し、その画像を情報管理装置１０へ出力する。また、表示制御部１６は表示画像１００を生成し、出力部１７が表示部１８へ表示画像１００を表示する。初期状態において、模擬画像１０１には、実媒体４０と同じ地図の地図データが表示され、一覧画像１０４には何も表示されていない。
情報管理装置１０では、画像取得部１１が実媒体４０を撮影した画像（実媒体画像）を取得する（ステップＳ１１）。画像取得部１１は、変更検出部１２へ画像を出力する。変更検出部１２は、前回取得した画像と、今回取得した画像を比較する（ステップＳ１２）。変更検出部１２は、比較結果を判定する（ステップＳ１３）。変化がない場合（ステップＳ１３；Ｎｏ）、ステップＳ１１からの処理を繰り返す。変化がある場合（ステップＳ１３；Ｙｅｓ）、変更検出部１２は、変化した情報が含まれる部分を抽出した画像（ＯＢＪ画像）と、変化した時刻、変化した情報の座標情報、変化の種類（「追加」、「消去」など）を記録部１３へ出力する。記録部１３は、これらの情報を記憶部１４へ記録する（ステップＳ１４）。また、変更検出部１２は、変化した情報の属性を分析する（ステップＳ１５）。例えば、変更検出部１２は、付箋５０の色や領域５１、５２の記載に基づく情報源や情報種類、識別番号の分析を行う。また、変更検出部１２は、ペンで記入された情報について、ペンの色、記入された文字や図形の分析を行って、情報源やどのような災害が起こっているかなどの情報種類の分析などを行う。記録部１３は、変更検出部１２によって分析された情報を、ステップＳ１４で記録した情報と対応付けて記憶部１４に記録する。すると、表示制御部１６が、変化があった付箋５０又はペン入力された図形６０等に対応する画像を、属性情報に含まれる座標情報に基づいて、模擬画像１０１の地図データにマッピングした画像を生成する。また、表示制御部１６は、変化があった付箋５０又は図形６０が追加等された時刻、場所、種類、サムネイル画像を含む一覧画像１０４の画像を生成する。なお、表示制御部１６は、属性情報の座標情報を住所情報に変換して一覧画像１０４の「場所」フィールドに表示する。出力部１７は、表示制御部１６が生成した表示画像１００で表示部１８の表示を更新する（ステップＳ１６）。
【００４５】
災害時には、各担当者は、付箋５０に時刻等の必要情報の一部を記入する余裕が無いことが多い。図８の処理によれば、付箋５０を張り付けた時刻、はがした時刻、ペンで地図上に文字や図形を書き込んだ時刻、それらを消去した時刻が記録されるため、いつどのような情報が寄せられ、それらの情報が示す状況が収束したかを記録に残すことができる。また、地図上への書き込みや付箋５０の貼り付けは、複数の人によって、同時に行うことができるので、誰でも簡単に実媒体４０への情報の入力、消去を行うことができる。その際、時刻情報を記入する必要が無い。また、実媒体４０から情報を消去する場合、一度消したら元に戻せないが、情報管理装置１０によれば、消去した情報やその情報が記入されていた場所、消去した時刻を記録に残してあるので、情報の消去後もその情報を確認することができる。さらに、記録した情報は、一定時間経過後であっても任意に再現できるので、時系列の情報の変化の整理を簡便に行うことができる。また、各組織の担当者は、自分が関係する情報しか目に入らないことが多いが、表示部１８が表示する表示画像１００を確認することで、全体の情報を俯瞰することができる。
【００４６】
なお、上記説明では、出力部１７は、表示画像１００を表示部１８へ出力することとしたが、表示画像１００をプロジェクタ３０へ出力し、プロジェクタ３０から実媒体４０とは異なる場所（例えば、遠隔地）に設けられた同様の地図や、他のスクリーン等へ投影するようにしてもよい。また、実媒体４０と同様の地図へ投影する画像は、図６に例示する表示画像１００の模擬画像１０１のうち、付箋やペン入力された図形や文字の画像だけであってもよい。これにより、他の場所にいる人も、実媒体４０に表示された情報をリアルタイムに共有することができ、情報共有の範囲を広げることができる。
【００４７】
また、例えば、Ａ拠点、Ｂ拠点、Ｃ拠点があり、Ａ拠点に、情報管理装置１０、カメラ２０、プロジェクタ３０、実媒体４０を設け、Ｂ拠点に情報管理装置１０と通信可能なカメラ２０ｂとプロジェクタ３０ｂを設け、Ｃ拠点に情報管理装置１０と通信可能なカメラ２０ｃとプロジェクタ３０ｃを設けるようにしてもよい。そして、プロジェクタ３０ｂ，３０ｃは、Ｂ拠点およびＣ拠点の各々に設けられた、実媒体４０と同様の地図等（実媒体４０ｂ、４０ｃとする。）に、例えば、表示画像１００のうち付箋やペン入力された文字等の画像を投影する。また、カメラ２０ｂ、２０ｃは、それぞれ実媒体４０ｂ、４０ｃを所定の時間間隔で撮影して、撮影した画像を情報管理装置１０へ送信する。さらに情報管理装置１０では、上記で説明したものと同様の処理を、カメラ２０ｂ、２０ｃが撮影した画像に対しても行う。このようにすると、例えば、Ｂ拠点で、担当者が、実媒体４０ｂにペンで書き込んだり、付箋５０を貼着したりすると、表示制御部１６が生成する表示画像１００にそれらが反映される。つまり、このような構成によれば、Ａ拠点だけではなく、Ｂ拠点やＣ拠点で実媒体上の情報を更新すると、その更新の内容を他の拠点でも共有することができる。なお、Ａ拠点、Ｂ拠点、Ｃ拠点のそれぞれに情報管理装置１０ａおよびカメラ２０ａおよびプロジェクタ３０ａおよび実媒体４０ａ、情報管理装置１０ｂおよびカメラ２０ｂおよびプロジェクタ３０ｂおよび実媒体４０ｂ、情報管理装置１０ｃおよびカメラ２０ｃおよびプロジェクタ３０ｃおよび実媒体４０ｃを設け、情報管理装置１０ａ〜１０ｃの間で、各情報管理装置１０ａ〜１０ｃが抽出したＯＢＪ画像やそれに関する属性情報のデータを同期するようにしてもよい。
以下、情報管理装置１０が有する他の機能について説明する。
【００４８】
（時刻または時間帯の指定による表示変更）
図９は、本発明の一実施形態における表示画像を説明する第３の図である。
図９に、時間指定画像１０２の時刻指定手段を用いて過去（例えば、時刻Ｔａ）に戻り、その時に実媒体４０に表示されていた情報を表示する模擬画像１０１と一覧画像１０４を例示する。
模擬画像１０１には、時刻Ｔａにおける実媒体４０の様子（図５上図）が表示されている。ユーザが、タイムスライダーで時刻Ｔａを指定すると、その指示を入力受付部１５が取得する。表示制御部１６は、例えば、実媒体４０と同じ地図データに対して、図８のフローチャートの処理により記録した、追加、消去などの履歴を時系列に反映させて、時刻Ｔａにおける実媒体４０を模擬した模擬画像１０１、一覧画像１０４を生成する。これにより、実媒体４０では、最新の状況を表示しつつ、担当者は、情報管理装置１０の表示部１８に、過去に実媒体４０へ記入した情報を再現して確認することができる。
また、１つの時刻を指定するのではなく、時間帯を指定して、指定した時間帯に実媒体４０に表示されていた情報を全て同時に表示するようにしてもよい。また、時間帯を指定した場合、表示制御部１６は、指定した時間帯の最初の時刻から最後の時刻までの実媒体４０上の情報の変化を再生表示してもよい。
【００４９】
（表示する情報の選択）
図１０は、本発明の一実施形態における表示画像を説明する第４の図である。
図１０の上図は、災害時の意思決定に与える重要度の一例を示している。例えば、人的被害は重要度が最も高い。災害対策において意思決定をする者は、重要度の高いものから優先して対策する必要がある。しかし、関係のない情報が多数表示されていると、どの情報が重要であるかが分かりにくくなる。そこで、表示する情報の種類や重要度を選択できるようにする。図１０の下図に表示情報指定画像１０３の一例を示す。担当者が、救援救護、物資調達、避難所開設など表示する情報の種類を選択する。また、担当者が、スライダーコントロールで高低の程度を指定する。高を選択すると、表示制御部１６は、情報の種類で選択した情報に関係性が高い情報だけを表示対象とする。低を選択すると、表示制御部１６は、情報の種類で選択した情報に関係性が低い情報も表示対象とする。例えば、担当者が、救援救護を選択すると、意思決定に与える重要度が高い「人的被害」に関する情報が対象になる。さらに担当者が、スライダーコントロールで高い側を選択すると、表示制御部１６は、救援救護に関係する情報だけを表示した画像を生成する。
なお、表示制御部１６が、救援救護に関係する情報を選択する場合、例えば、付箋画像５０ｉの画像から付箋に記入された文字を認識して、救援救護に関する情報が記入されているかどうかを判定できる機能を備えていてもよい。
また、図１０の下図に示す情報の種類は一例である。他の例として、表示する情報の種類は、「消防」、「警察」、「自衛隊」、「海上保安庁」など付箋５０の領域５１に記入された情報から判断できる情報源の種類であってよい。また、例えば、表示する情報の種類は、「被害情報」、「救助情報」、「物資要請」など付箋５０の領域５２に記入された情報から判断できる情報種類であってよい。
【００５０】
（進捗に応じた表示変更）
図１１は、本発明の一実施形態における表示画像を説明する第４の図である。
図１１に作業の進捗に伴って、情報管理装置１０の表示画像１００が変化する様子を示す。図１１の上段の左図では、付箋５０−１の領域５４に印が付されていない。つまり、未着手である。未着手とは、例えば、支援物資を要求する情報が付箋５０−１に記入されている場合、被災地へ支援物資を提供する作業に着手していないことを示す。付箋５０−１が貼着されると、変更検出部１２は、カメラ２０が撮影した画像を画像処理することにより「未着手」を検出し、記録部１３は、付箋５０−１の識別番号と対応付けて、属性情報「未着手」を記憶部１４に記録する。表示制御部１６は、属性情報「未着手」が対応付けられた識別番号に対応する付箋画像５０ｉ−１を「未着手」を示す色で表示する（中段左図）。また、表示制御部１６は、一覧画像１０４における付箋５０−１に対応する行を、「未着手」を示す色で表示してもよい（下段左図）。
【００５１】
図１１の上段の中図では、付箋５０−１の領域５４に印が付されている。上記の例では、被災地へ支援物資を提供する作業に着手したことを示す。領域５４に印が付されると、変更検出部１２は、カメラ２０によって撮影された変化の前後の画像に基づいて、「未着手」から「着手」への変化を検出し、記録部１３は、付箋５０−１の識別番号と対応付けて、属性情報「着手」を記憶部１４に記録する。表示制御部１６は、属性情報「着手」が対応付けられた識別番号に対応する付箋画像５０ｉ−１を「着手」を示す色で表示する（中段中図）。また、表示制御部１６は、一覧画像１０４における付箋５０−１に対応する行を、「着手」を示す色で表示してもよい（下段中図）。
【００５２】
図１１の上段の右図では、付箋５０−１がはがされている。付箋５０−１がはがされると、変更検出部１２は、カメラ２０が撮影した画像から、付箋５０−１がはがされたことを検出し、記録部１３は、付箋５０−１の識別番号と対応付けて、変化「消去」、消去時刻などを属性情報として記憶部１４に記録する。表示制御部１６は、属性情報「消去」が対応付けられた識別番号に対応する付箋画像５０ｉ−１を消去し（中段右図）、一覧画像１０４における付箋５０−１に対応する行を、消去する（下段右図）。なお、図７で説明したように消去後も、ボタン１０５の操作により、付箋画像５０ｉ−１を表示させることが可能である。
【００５３】
（付箋の移動）
図１２は、本発明の一実施形態における表示画像を説明する第５の図である。
図１２に一旦、貼着した付箋５０−１の貼り付け位置が誤っていたために移動させるときに、情報管理装置１０の表示画像１００が変化する様子を示す。
図１２の上段左図は、最初に付箋５０−１を貼着した位置を示す。付箋５０−１が貼着されると、変更検出部１２は、カメラ２０が撮影したが画像を画像処理して、付箋５０−１の追加を検出し、記録部１３は、付箋５０−１の識別番号と対応付けて、座標情報などの属性情報を記憶部１４に記録する。表示制御部１６は、実媒体４０における付箋５０−１の貼着位置に対応する模擬画像１０１における座標位置に付箋画像５０ｉ−１を表示する（中段左図）。また、表示制御部１６は、一覧画像１０４に付箋５０−１に対応する行を表示する（下段左図）。
【００５４】
次に担当者が貼り付け位置の誤りに気が付き、付箋５０−１を図１１の上段右図に示す位置に移動させる。すると、変更検出部１２は、カメラ２０が撮影した画像の変化に基づいて、付箋５０−１の移動（消去と追加）を検出する。記録部１３は、付箋５０−１の消去と追加の各々に対して、識別番号と対応付けて座標情報などの属性情報を記憶部１４に記録する。表示制御部１６は、移動後（追加）の付箋５０−１の貼り付け位置に対応する模擬画像１０１における座標位置に付箋画像５０ｉ−１を表示する（中段右図）。また、表示制御部１６は、一覧画像１０４に移動後の付箋５０−１に対応する行を表示する（下段左図）。なお、移動後の「場所」フィールドには、移動後の座標情報に対応する住所情報が表示される。
【００５５】
図１２では、現在、貼着した付箋５０−１を担当者が移動させる場合を例示した。次に既にはがしてしまった付箋５０−３について、場所の情報を修正する方法について説明する。
図１３は、本発明の一実施形態における表示画像を説明する第６の図である。
まず、担当者が、タイムスライダーを用いて修正対象の付箋５０−３が貼着されている時刻を指定する。担当者は、一覧画像１０４の付箋５０−３に対応する行の「場所」フィールドの情報を修正する。すると、入力受付部１５が修正された住所情報を取得する。表示制御部１６は、修正後の住所情報を座標情報に変換し、付箋画像５０ｉ−３を修正後の位置に表示する。また、記録部１３は、修正された住所情報に対応する座標情報で、記録済みの誤った座標情報を更新する。このように、入力や貼着位置に誤りがあった場合、その情報を訂正することが可能である。
【００５６】
＜第二実施形態＞
第一実施形態では、カメラ２０が撮影した画像に基づいて、実媒体４０に記入された情報の管理を行った。しかし、災害対策室では、全ての情報を地図上にペン入力したり、付箋を貼着するとは限らない。Ｆａｘや電話で被災地の情報が届けられた場合、直接その情報を情報管理装置１０に入力したり、他の端末装置に入力して、その端末装置からネットワークを介して情報管理装置１０へ被災地の情報を送信することにより、情報を管理することが可能である。第二実施形態では、実媒体４０へ記入すべき情報を、情報管理装置１０へ入力しつつ、実媒体４０へ付箋のイメージ（電子付箋と記載する。）を投影して情報を共有する方法を提供する。
【００５７】
図１４は、本発明の第二実施形態における情報管理方法を説明する第１の図である。
図１５は、本発明の第二実施形態における情報管理方法を説明する第２の図である。
図１４の上段の左図では、付箋５０−１が貼着されている。情報管理装置１０の表示部１８には、付箋５０−１に対応する表示を含んだ模擬画像１０１と一覧画像１０４が表示される。
次に、担当者が、電話２１やＦＡＸ２２により、被災地の情報を取得する。被災地の情報には、被害状況や、物資や救援を要求する情報、被害や救援に関連する場所や時刻の情報などが含まれる。担当者は、取得した被災地の情報を情報管理装置１０へ入力する。なお、被害の発生時刻や被害状況を確認した時刻の情報が与えられなかった場合、担当者は、電話を受けた時刻やＦＡＸを受信した時刻を入力してもよい。また、場所の情報が得られなかった場合は、場所の情報を入力せず、後に一覧画像１０４の「場所」フィールドにて住所情報を入力してもよい。
【００５８】
また、被災地の情報は、情報管理装置１０へ直接入力されなくてもよい。例えば、ネットワークを介して接続された端末装置２３に入力された情報を、情報管理装置１０が取得してもよい。あるいは、情報管理装置１０は、ネットワークを介して接続されたセンサ２４から出力されたアラーム（例えば、川や海の水位が閾値を超えるなど）を取得してもよい。
【００５９】
次に入力受付部１５が入力された情報（追加情報）を受け付け記録部１３へ出力する。記録部１３は、入力された情報を記憶部１４に記録する。また、記録部１３は、入力された情報を表示制御部１６へ出力する。すると、表示制御部１６は、模擬画像１０１と、一覧画像１０４を更新する。例えば、表示制御部１６は、入力された情報に含まれる場所の住所情報を、実媒体４０における座標情報に変換する。そして、表示制御部１６は、付箋画像５０ｉ−２（生成ＯＢＪ画像）を生成し、地図データを変換して得られた座標情報が示す位置に付箋画像５０ｉ−２を重畳させた模擬画像１０１を生成する。なお、入力情報が、消防関係であれば、付箋画像の背景色を赤にするなど、入力情報の属性に合わせて付箋画像５０ｉ−２の表示態様を調整してもよい。あるいは、付箋画像５０ｉ−２が、実媒体４０に貼着された付箋５０に基づくものではないことを示すために、実際の付箋５０とは異なる色で表示してもよい。また、表示制御部１６は、入力情報に含まれる時刻、場所、情報の種類、付箋画像５０ｉ−２のサムネイルからなる行を追加した一覧画像１０４を生成する。表示制御部１６は、入力された情報を反映した模擬画像１０１および一覧画像１０４を含む表示画像１００を出力部１７に出力する。出力部１７は、表示画像１００を表示部１８へ出力する。
【００６０】
また、表示制御部１６は、追加情報に基づく付箋画像５０ｉ−２（生成ＯＢＪ画像）だけを地図データに重畳させた投影用画像を生成し、投影用画像を出力部１７へ出力する。出力部１７は、投影用画像をプロジェクタ３０へ出力する。図１５に示すように、プロジェクタ３０は、実媒体４０へ投影用画像を投影する。投影後の実媒体４０、模擬画像１０１、一覧画像１０４の様子を、図１４の右図に示す。実媒体４０には、付箋５０−１に加え、投影された電子付箋５０−２が表示される。模擬画像１０１には付箋画像５０ｉ−２が表示され、一覧画像１０４には付箋画像５０ｉ−２に対応する属性情報が表示される。
【００６１】
なお、電話などで付箋画像５０ｉ−２に関する状況の収束が伝えられた場合、担当者は、一覧画像１０４にて、その情報に関する行を選択し、ボタン１０８を押下する。すると、表示制御部１６は、模擬画像１０１から付箋画像５０ｉ−２を削除し、一覧画像１０４から付箋画像５０ｉ−２に関する情報を削除する。また、表示制御部１６は、投影用画像から付箋画像５０ｉ−２を削除する。表示制御部１６は、削除後の表示画像１００と投影用画像を出力部１７へ出力する。出力部１７は、表示部１８に表示する表示画像１００とプロジェクタ３０へ出力する投影用画像を更新する。これにより、実媒体４０から電子付箋５０−２が消え、模擬画像１０１および一覧画像１０４から付箋画像５０ｉ−２に関する画像が消える。
【００６２】
また、電子付箋をはがす場合、担当者が実媒体４０上に投影された電子付箋５０−２をはがす動作を行ってもよい。この場合、例えば、カメラ２０は、この動作を撮影し、情報管理装置１０へ出力する。情報管理装置１０では、画像取得部１１がカメラ２０によって撮影された連続する複数の画像から、担当者による電子付箋５０−２をはがす動作を検出する。すると、記録部１３および表示制御部１６は、ボタン１０８が押下されたときと同様の動作を行う。これにより、電子付箋５０−２の消去などを行うことができる。
【００６３】
本実施形態によれば、実媒体４０へ手入力された情報だけでなく、他システムから送信される情報や、電話、ＦＡＸで伝達される情報を情報管理装置１０へ取り込んで、最新の情報を表示部１８および実媒体４０上に再現することができる。情報管理装置１０は、全ての情報を蓄積するので、情報の一元管理が可能である。
【００６４】
＜第三実施形態＞
次に情報管理システム１を用いて災害時のリソース管理を行う方法について説明する。
図１６は、本発明の一実施形態におけるリソース管理に用いる実媒体の一例を示す図である。
第三実施形態では、実媒体４０を拡張して、リソースの残量を記入した付箋５０を張り付けるエリアを提供する実媒体６１、投入されたリソースの数と残りのリソースの数と全リソース数を表示するエリアを提供する実媒体７０を用意する。カメラ２０は、少なくとも実媒体４０と実媒体６１を含んで撮影する。初期状態において、担当者は、実媒体６１に残りのリソース数（例えば、「１０００」）を記載した付箋５０を実媒体６１に貼る。次にリソース１００個を被災地に投入する場合、担当者は、実媒体４０（地図）のリソースを投入する位置に「１００」と記入した付箋を貼張し、実媒体６１に「９００」と記入した付箋５０を張り付ける。図４等でも説明したように、変更検出部１２は、実媒体４０および実媒体６１への付箋５０の貼り付けを検出し、記録部１３が、変化があった付箋の画像と、変化した時刻、付箋５０の貼り付け位置などを記憶部１４に記録する。さらに記録部１３は、貼り付け先の媒体が実媒体４０か実媒体６１かに応じて「投入リソース」か「残リソース」かの区分を属性情報として記録する。なお、「投入リソース」か「残リソース」かの区分は、付箋５０に「投入リソース」と「残リソース」を識別するための印を付けることによって区分してもよい。また、「投入リソース」、「残リソース」の数量は、付箋５０の領域５３に記入してもよいし、例えば、領域５１のように数量別の記入欄を設けてもよい。図３の領域５１をリソースの数量に用いる場合、例えば、一番上の領域に１個、上から二番目に１０個、上から三番目に１００個、一番下の領域に１０００個をわりあてる。あるいは、「大」、「中」、「小」といったわりあて方でもよい。表示制御部１６は、領域５１のどこに印が付されているかによってリソースの数を認識してもよい。表示制御部１６は、投入リソースの合計と残リソースの合計を算出する。例えば、上記の例であれば、投入リソースの合計は１００、残リソースの合計は９００、全リソース数は１０００である。表示制御部１６は、投入リソースの合計、残リソースの合計、全リソース数を表示したリソース管理画像を生成する。なお、全リソース数には、初期状態の実媒体６１に位置する付箋５０に表示された数字を用いる。出力部１７は、リソース管理画像をプロジェクタ３０へ出力する。プロジェクタ３０は、リソース管理画像を実媒体７０へ投影する。
【００６５】
図１６に実媒体４０へ投入リソースの付箋５０を張り付け、実媒体６１に残リソースの付箋５０を張り付け、実媒体７０へリソース管理画像を投影した例を示す。
例えば、付箋５０−３、付箋５０−６、付箋５０−９、付箋５０−１０は、消防のリソース数を記入した付箋である。付箋５０−７、付箋５０−１１は、警察のリソース数を記入した付箋である。例えば、消防のリソース数を記入した付箋の色と警察のリソース数を記入した付箋の色は異なっており、変更検出部１２は、付箋の色の違いにより、消防か警察化を区別することができる。担当者は、実媒体７０に投影された情報を参照して、付箋５０に記入した値が正しいかどうかを把握することができる。例えば、図１６に示す消防の場合、残リソース「１００」、投入済みリソース「６１０」、全リソース「７１０」となっている。残リソースと投入済みリソースの合計が全リソースと一致しているので、担当者は、付箋に記入した数値が正しいと確認できる。また、例えば、残リソース「１２０」、投入済みリソース「６１０」、全リソース「７１０」と表示されていれば、担当者は、実媒体４０に張り付けた付箋５０に記載した数値、又は実媒体６１に張り付けた付箋５０に記載した数値が誤っていることを認識することができる。
【００６６】
第一実施形態、第二実施形態と同様、表示制御部１６は、表示画像１００を生成する。本実施形態の場合、模擬画像１０１には、図１６に例示するような画像が表示されてもよい。また、模擬画像１０１において、リソースの数量が大きいほど付箋画像５０ｉは大きく表示されてもよい。
なお、本実施形態において、実媒体７０および、実媒体７０に表示する画像の生成処理を省略してもよい。
【００６７】
本実施形態によれば、例えば、図１０を用いて説明した表示情報指定画像１０３によって、重要度の高い情報に関するリソースのみを表示させ、緊急性の高い場所へ優先的にリソースを割り振ることができる。また、付箋５０の数が多く、地図が見にくいときなどは、図６で説明したボタン１０７を利用して、重要度の低い付箋５０をはがしてもよい。
【００６８】
図１７は、本発明の一実施形態における情報管理装置のハードウェア構成の一例を示す図である。
コンピュータ９００は、ＣＰＵ９０１、主記憶装置９０２、補助記憶装置９０３、入出力インタフェース９０４、通信インタフェース９０５を備える。
上述の情報管理装置１０は、コンピュータ９００に実装される。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。なお、記憶部１４は、補助記憶装置９０３に記憶されている。
【００６９】
情報管理装置１０の全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
また、情報管理装置１０は、複数のコンピュータ９００によって構成されていても良い。記憶部１４は、コンピュータ９００とは別体の外部記憶装置に記憶されていても良い。
【００７０】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
例えば、実媒体４０は作業工程表であって、作業の進捗に応じて工程表に書き込みを行ったり、付箋を貼着したりするような場合に情報管理システム１を用いることができる。
また、実媒体４０は、大きな机などの上に広げられていたり、床、壁、天井などに設けられていたりしてもよい。なお、付箋５０は、実媒体の表面への付加および実媒体の表面からの除去が可能な情報表示媒体の一例である。他の例として、情報表示媒体は、カード状の紙、シート、マグネット付きのラベル等であってもよい。
実媒体４０にペンで入力された文字や図形、実媒体４０に貼着される付箋の変化を抽出した画像は、ＯＢＪ画像の一例である。第二実施形態の他システムから送信される情報、電話、ＦＡＸで伝達される情報であって、情報管理装置１０へ入力する情報は、追加情報の一例である。図１４で例示した追加情報に基づく付箋画像５０ｉ−２は、生成ＯＢＪ画像の一例である。画像取得部１１は取得部の一例、変更検出部１２は検出部の一例、入力受付部１５は受付部の一例である。
【符号の説明】
【００７１】
１・・・情報管理システム
１０・・・情報管理装置
１１・・・画像取得部
１２・・・変更検出部
１３・・・記録部
１４・・・記憶部
１５・・・入力受付部
１６・・・表示制御部
１７・・・出力部
１８・・・表示部
２０・・・カメラ
２１・・・電話
２２・・・ＦＡＸ
２３・・・端末装置
２４・・・センサ
３０・・・プロジェクタ
４０・・・実媒体
９００・・・コンピュータ
９０１・・・ＣＰＵ
９０２・・・主記憶装置
９０３・・・補助記憶装置
９０４・・・入出力インタフェース
９０５・・・通信インタフェース
【図１】
2020126320.tif 000003
【図２】
2020126320.tif 000004
【図３】
2020126320.tif 000005
【図４】
2020126320.tif 000006
【図５】
2020126320.tif 000007
【図６】
2020126320.tif 000008
【図７】
2020126320.tif 000009
【図８】
2020126320.tif 000010
【図９】
2020126320.tif 000011
【図１０】
2020126320.tif 000012
【図１１】
2020126320.tif 000013
【図１２】
2020126320.tif 000014
【図１３】
2020126320.tif 000015
【図１４】
2020126320.tif 000016
【図１５】
2020126320.tif 000017
【図１６】
2020126320.tif 000018
【図１７】
2020126320.tif 000019